(57)【要約】【課題】電線を傷付けることなく端子金具間の微摺動摩耗を抑制する。【解決手段】端子金具２０が接続可能な電線１０と、端子金具２０が収容されるキャビティ４１を備えたハウジング４０と、キャビティ４１の一面から装着された状態で電線１０を一面と対向する他面に向けて押圧する押圧部６５を有する押圧部材６０と、が具備され、電線１０における押圧部６５と対応した部分の外周には、弾性材からなる筒形カバー３０が被着されている。【選択図】図２
2017212121.tif 000002
【特許請求の範囲】
【請求項１】
端子金具が接続可能な電線と、
前記端子金具が収容されるキャビティを備えたハウジングと、
前記キャビティの一面から装着された状態で前記電線を前記一面と対向する他面に向けて押圧する押圧部を有する押圧部材と、が具備され、
前記電線における前記押圧部と対応した部分の外周には、弾性材からなる筒形カバーが被着されているコネクタ。
【請求項２】
前記キャビティの前記他面には、前記押圧部で押圧された前記電線の被押圧部を収容可能な逃がし凹部が形成されている請求項１に記載のコネクタ。
【請求項３】
前記押圧部材の前記押圧部が、前記押圧方向に沿って弾性変位可能となっている請求項１または請求項２に記載のコネクタ。
【請求項４】
前記押圧部材には、前記端子金具を抜け止め可能にする抜止部を有する請求項１ないし請求項３のいずれか一項に記載のコネクタ。
【発明の詳細な説明】
【技術分野】
【０００１】
本明細書によって開示される技術は、端子金具間の微摺動摩耗を防止する手段を講じたコネクタに関する。
【背景技術】
【０００２】
従来、端子金具間の微摺動摩耗の防止策を講じたコネクタの一例として、下記特許文献１に記載されたものが知られている。このものは、電線の端末に接続された端子金具が収容されるハウジングに押圧部材が装着可能とされ、キャビティに端子金具が収容されたのち押圧部材を装着することにより、端子金具の後方に延出された電線をキャビティの対向した内面に押し付けた構造であって、これにより電線の振動が端子金具に伝わることを遮断し、ひいては相手端子との間で微摺動摩耗を生じることを防止するようになっている。
【先行技術文献】
【特許文献】
【０００３】
【特許文献１】特開２０００−２３１９６１号公報
【発明の概要】
【発明が解決しようとする課題】
【０００４】
上記従来の防止策では、押圧部材で電線を押し付ける構造上、電線の絶縁被覆に傷を付けることが懸念され、さらなる改良が切望されていた。
本明細書によって開示される技術は、上記のような事情に基づいて完成されたものである。
【課題を解決するための手段】
【０００５】
本明細書によって開示されるコネクタは、端子金具が接続可能な電線と、前記端子金具が収容されるキャビティを備えたハウジングと、前記キャビティの一面から装着された状態で前記電線を前記一面と対向する他面に向けて押圧する押圧部を有する押圧部材と、が具備され、前記電線における前記押圧部と対応した部分の外周には、弾性材からなる筒形カバーが被着されている構成である。
【０００６】
端子金具がハウジングのキャビティ内に収容されたのち、押圧部材がキャビティの一面に装着されると、押圧部が電線に被着された筒形カバーをキャビティの他面に押し付ける。電線に外部から振動が加わると、同振動は筒形カバーの肉厚部において吸収され、端子金具に伝達することが抑制される。そのため、相手端子との間で微摺動摩耗することが抑制される。電線を直接に押圧する構造ではないから、電線の絶縁被覆に傷を付けるおそれがない。すなわち、電線を傷付けることなく端子金具間の微摺動摩耗を抑制できる。
【０００７】
また、以下のような構成としてもよい。
前記キャビティの前記他面には、前記押圧部で押圧された前記電線の被押圧部を収容可能な逃がし凹部が形成されている。
筒形カバーは、径方向においてほとんど弾縮されることなく、押圧部と逃がし凹部の底面との間で挟まれた状態となる。そのため、電線の振動は、筒形カバーの肉厚部のほとんど全ての厚さ分を利用して吸収可能となる。その結果、電線の振動吸収機能がより高められ、高い信頼性を持って端子金具間の微摺動摩耗を抑制できる。
【０００８】
前記押圧部材の前記押圧部が、前記押圧方向に沿って弾性変位可能となっている。
押圧部も弾性変位することで振動吸収が可能となり、振動吸収機能を高めることに有効となる。
【０００９】
前記押圧部材には、前記端子金具を抜け止め可能にする抜止部を有する。
抜止部が別途設けられている場合と比較して、部品点数の削減と、装着作業の簡易化を図ることができる。
【発明の効果】
【００１０】
本明細書によって開示される技術によれば、電線を傷付けることなく端子金具間の微摺動摩耗を抑制することができる。
【図面の簡単な説明】
【００１１】
【図１】実施形態１に係るリテーナを装着する前の状態のコネクタの断面図
【図２】リテーナが装着された後の状態のコネクタの断面図
【図３】実施形態２に係るリテーナが装着された後の状態のコネクタの断面図
【発明を実施するための形態】
【００１２】
＜実施形態１＞
実施形態１を図１及び図２によって説明する。本実施形態では、ワイヤハーネスの端末に設けられた雌側のコネクタＣ１を例示する。
コネクタＣ１は、図１に示すように、端末に雌端子２０が設けられた複数の電線１０と、雌端子２０が収容される雌ハウジング４０と、雌端子２０を二重係止するべく雌ハウジング４０に装着されるリテーナ６０とを備えて構成されている。同コネクタＣ１は、雄端子を有する雄側のコネクタ（図示せず）と嵌合される。
なお、以下の説明において、前後方向とは図１の左右方向を基準とし、上下方向とは図１の上下方向を基準として説明する。また、左右方向とは、図１の紙面を貫通する方向を基準とする。
【００１３】
電線１０は、芯線１１を絶縁被覆１２で被覆されている。雌端子２０は、相手の雄端子と接続される角筒状の端子接続部２１の後方に、ワイヤバレル２３とインシュレーションバレル２４とが設けられた構造である。
【００１４】
電線１０の端末では、絶縁被覆１２を所定長さ切除して芯線１１の端末を露出させる端末処理（皮剥処理）が施される。電線１０の露出した芯線１１がワイヤバレル２３にかしめられ、また絶縁被覆１２の端末がインシュレーションバレル２４にかしめられている。
【００１５】
図１に示すように、電線１０の端末におけるインシュレーションバレル２４の直後の所定長さ領域には、ゴム製の筒形カバー３０が被着されている。筒形カバー３０は、電線１０（絶縁被覆１２）の外周の全周に亘って緊密に嵌着される肉厚の円筒形をなしている。筒形カバー３０の外面と内面には、筒形カバー３０の軸方向に凹凸が繰り返される波形が付されている。
なお、筒形カバー３０の前面に取付筒部を設けて、同取付筒部を絶縁被覆１２ともどもインシュレーションバレル２４に圧着して固定した構造としてもよい。
【００１６】
雌ハウジング４０は合成樹脂製であって、筒形カバー３０を有する電線１０の端末に設けられた雌端子２０を収容可能なキャビティ４１が形成されている。キャビティ４１は前後方向に延びた正面視略四角形状の空間であって、左右方向に並んで複数形成されている。各キャビティ４１の後端は、雌端子２０が挿入可能な挿入口４２となっており、前壁４３には、相手の雄端子が挿入される端子挿入口４４が形成されている。
【００１７】
キャビティ４１の底面の前端には、雌端子２０が前壁４３に当たる正規位置まで挿入されたところで端子接続部２１の底面に開口されたランス孔（図示せず）に弾性的に嵌まり込むことで、雌端子２０を抜止（一次係止）状態にするランス４５が形成されている。
【００１８】
雌ハウジング４０の上面には、雌端子２０を二次係止するべくリテーナ６０が装着可能とされている。本実施形態では、当該リテーナ６０が、電線１０の端末に被着された筒形カバー３０をキャビティ４１の底面に向けて押圧する機能を併せて備えており、以下に、上記を踏まえてリテーナ６０並びに雌ハウジング４０の上面に設けられたリテーナ装着部５０の構造を説明する。
【００１９】
リテーナ６０は合成樹脂製であって、図１に示すように、雌ハウジング４０の後部側の上面を覆うような平板状の基板６１を備えている。基板６１の下面の前端部には、雌端子２０の端子接続部２１の上面後縁（あご部２１Ａ）に係止する抜止部６２が、キャビティ４１と同数だけキャビティ４１の並列ピッチと同じピッチで並んで形成されている。
【００２０】
一方、基板６１の下面の後端部には、垂下したのち後方に直角曲げされた断面Ｌ字形をなす押圧部６５が、同様にキャビティ４１と同数だけキャビティ４１の並列ピッチと同じピッチで並んで形成されている。言い換えると、基板６１の下面における各キャビティ４１と対応する位置ごとに、前側に抜止部６２が、後側に押圧部６５が間隔を開けて形成された構造となっている。
【００２１】
雌ハウジング４０の上面における後部側には、リテーナ装着部５０が形成されている。リテーナ装着部５０には、リテーナ６０の基板６１が嵌る装着凹部５１が形成されている。この装着凹部５１の底面には、各キャビティ４１と対応する位置ごとに、リテーナ６０の抜止部６２が挿通する抜止部挿入口５２と、押圧部６５が挿通する押圧部挿入口５５とが、キャビティ４１の上面に開口した形態で、前後に分かれて形成されている。
【００２２】
抜止部挿入口５２は、キャビティ４１内に収容された雌端子２０における端子接続部２１の直後領域の上方に開口して形成されている。抜止部挿入口５２の前縁には、抜止部６２における前面上部の角部（被係止角部６３）に係止して雌端子２０を抜け止めする第１係止部５３が突出形成されている。
【００２３】
一方、押圧部挿入口５５は、キャビティ４１内に収容された筒形カバー３０における長さ方向の中央部から少し後端に寄った部分（被押圧部３１）を開放するように形成されている。押圧部挿入口５５の前縁には、押圧部６５の垂下部６６の前面に突出形成された被係止部６８に係止してリテーナ６０を抜け止めする第２係止部５６が形成されている。
【００２４】
後記するように、リテーナ６０がリテーナ装着部５０に装着されると、抜止部６２が抜止部挿入口５２に上方から挿入され、図２に示すように、抜止部挿入口５２の第１係止部５３が抜止部６２の被係止角部６３に係止して外れ止めされる。このとき、抜止部６２が雌端子２０における端子接続部２１のあご部２１Ａの直後に嵌って二次係止するようになっている。
【００２５】
一方、押圧部６５が押圧部挿入口５５に上方から挿入されると、挿入の終盤では、押圧部６５の水平部６７が、筒形カバー３０の被押圧部３１の上面をキャビティ４１の底面に向けて押圧し、所定量挿入されたところで、図２に示すように、垂下部６６に設けられた被係止部６８が押圧部挿入口５５の前縁の第２係止部５６に係止することで外れ止めされる。このとき、筒形カバー３０の被押圧部３１は、電線１０ともども下側に膨らむように湾曲し、かつ径方向に弾縮した形態で、押圧部６５とキャビティ４１の底面との間で挟持される。
【００２６】
続いて、本実施形態の作用を説明する。
コネクタＣ１は以下のようにして組み立てられる。電線１０の端末における絶縁被覆１２を所定長さ皮剥処理して芯線１１を露出させ、雌端子２０のワイヤバレル２３およびインシュレーションバレル２４により電線１０と雌端子２０は圧着接続される。筒形カバー３０はインシュレーションバレル２４の直後で電線１０の絶縁被覆１２を覆うように緊密に被着される。
【００２７】
雌端子２０は、図１に示すように、各キャビティ４１内に正規挿入されると、ランス４５に弾性的に係止されて抜け止め状態（一次係止）となり、併せて筒形カバー３０はキャビティ４１内に収容される。
【００２８】
雌端子２０並びに筒形カバー３０がキャビティ４１内に収容された状態では、図１に示すように、リテーナ装着部５０に設けられた抜止部挿入口５２が、雌端子２０の端子接続部２１の直後領域の上方に開口して形成され、また押圧部挿入口５５は、雌端子２０がキャビティ４１内に正規挿入された状態での筒形カバー３０における被押圧部３１の上方に位置することになる。
【００２９】
すべての雌端子２０が筒形カバー３０ともども対応するキャビティ４１内に正規挿入されると、雌ハウジング４０の上面のリテーナ装着部５０にリテーナ６０が装着される。具体的には、リテーナ６０が前下がりの斜め姿勢を採って、前端に位置する抜止部６２が抜止部挿入口５２内に上部後方から斜めに挿入され、抜止部６２の被係止角部６３が第１係止部５３の下側に潜って係止されたら、リテーナ６０が、第１係止部５３を中心として後端側が下げられるように揺動され、次第にキャビティ４１の底面に対し水平な姿勢に向けられる。
【００３０】
リテーナ６０の抜止部６２は次第にキャビティ４１の底面に対し水平な姿勢に向きを変える。それとともに、後端寄りの位置にある押圧部６５が次第にキャビティ４１の底面に対し鉛直な姿勢に向きを変えながら、押圧部挿入口５５に上方から挿入され、途中で被係止部６８が押圧部挿入口５５の第２係止部５６に当たって垂下部６６を弾性変位させつつ押し込まれ、水平部６７が筒形カバー３０の被押圧部３１の上面を押し付ける。
【００３１】
リテーナ６０の基板６１が水平姿勢を採って装着凹部５１内に嵌ったところでリテーナ６０の揺動が停止され、このとき図２に示すように、被係止部６８が第２係止部５６を通過することで、垂下部６６が復元変位しつつ被係止部６８が第２係止部５６に係止されて外れ止めされる。この間に、筒形カバー３０の被押圧部３１が押圧部６５の水平部６７でさらに押圧され、筒形カバー３０の被押圧部３１は、電線１０ともども下側に膨らむように湾曲し、かつ径方向に弾縮した形態で、押圧部６５（水平部６７）とキャビティ４１の底面との間で挟持される。
【００３２】
一方、抜止部６２は、水平姿勢となって被係止角部６３が抜止部挿入口５２の第１係止部５３に係止されて外れ止めされた状態において、雌端子２０における端子接続部２１のあご部２１Ａの直後に嵌って二次係止し、雌端子２０を二重に抜け止めする。
以上により、コネクタＣ１の組み立てが完了する。
【００３３】
コネクタＣ１は、雄端子が装着された相手の雄側のコネクタに嵌合されることで使用に供され、コネクタＣ１と相手の雄側のコネクタとが正規に嵌合したところでロック機構（図示せず）により嵌合状態に保持されると同時に、コネクタＣ１に装着された雌端子２０が、雄側のコネクタに装着された対応する雄端子と嵌合接続されることになる。
【００３４】
コネクタＣ１が使用された場合、配設場所等によっては、電線１０（ハーネス）に対して振動が加わる場合がある。ここで、電線１０における雌端子２０の直後位置には、ゴム製の筒形カバー３０が緊密に被着されていて、同筒形カバー３０の被押圧部３１が、リテーナ６０に設けられた押圧部６５（水平部６７）と、キャビティ４１の底面との間で、径方向に若干弾縮された状態で挟持された構造となっている。そのため電線１０に外部から振動が加わると、同振動は筒形カバー３０の肉厚部において吸収され、雌端子２０に伝達することが抑制される。結果、相手の雄端子との微摺動摩耗が抑制される。
【００３５】
以上のように本実施形態では、電線１０の端末における雌端子２０の直後にゴム製の筒形カバー３０が緊密に被着されていて、雌端子２０が筒形カバー３０ともども雌ハウジング４０のキャビティ４１内に収容された状態において、リテーナ６０を装着することにより、同リテーナ６０に設けられた押圧部６５が筒形カバー３０の被押圧部３１を押圧して、同被押圧部３１を若干弾縮した状態、すなわち肉厚部がさらに弾縮する余地を残した状態で、キャビティ４１の底面との間で挟持した構造となっている。
【００３６】
そのため電線１０に外部から振動が加わった場合、同振動は筒形カバー３０の肉厚部において吸収され、雌端子２０に伝達することが抑制される。結果、相手の雄端子との微摺動摩耗が抑制される。本構造は電線１０を直接押圧する構造ではないから、電線１０の絶縁被覆１２に傷を付けるおそれがない。すなわち、電線１０を傷付けることなく雌端子２０と相手の雄端子との間の微摺動摩耗を抑制できる。
【００３７】
押圧部６５は、リテーナ６０に一体的に形成されていることから、リテーナ６０とは別部材として備えられている場合と比較すると、部品点数の削減と、装着作業の簡易化を図ることができる。
【００３８】
＜実施形態２＞
実施形態２を、図３によって説明する。実施形態２のコネクタＣ２では、雌ハウジング４０Ｘの構造に変更が加えられている。以下では、実施形態１と異なる部分を主に説明し、実施形態１と同一機能を有する部材、部位については、同一符号を付すことで重複した説明を省略し、または簡略化する。
【００３９】
この実施形態では、図３に示すように、雌ハウジング４０Ｘに設けられたキャビティ４１内の押圧部挿入口５５の直下に対応する底面に、押圧部６５による筒形カバー３０および電線１０の押圧変形分を退避させる所定深さの逃がし凹部７０が形成されている。
【００４０】
そのため、リテーナ６０に設けられた押圧部６５が押圧部挿入口５５に挿入されて、筒形カバー３０の被押圧部３１の上面を押圧し、第２係止部５６に係止して外れ止めされるまで押し込まれたときには、筒形カバー３０の被押圧部３１は、押圧部６５（水平部６７）で押圧されて電線１０ともども下側に膨らむように湾曲する。その際、筒形カバー３０および電線１０の押圧変形分は逃がし凹部７０に退避し、筒形カバー３０の被押圧部３１は、径方向においてほとんど弾縮されることなく、押圧部６５（水平部６７）と逃がし凹部７０の底面との間で挟まれた状態となる。
【００４１】
相手の雄側のコネクタと嵌合された使用時において、電線１０に外部から振動が加わると、筒形カバー３０は径方向においてほとんど弾縮されていない状態に保持されているから、上記の振動は筒形カバー３０の肉厚部でのほとんど全ての厚さ分を利用して吸収される。そのため、電線１０の振動吸収機能がより高められ、より高い信頼性を持って雌端子２０と相手の雄端子の間の微摺動摩耗を抑制することができる。
【００４２】
＜他の実施形態＞
本明細書で開示される技術は、上記記述及び図面によって説明した実施形態に限定されるものではなく、例えば次のような実施形態も含まれる。
（１）筒形カバーの被着位置は、上記実施形態に例示した雌端子の直後位置に限らず、被押圧部がキャビティ内に収まる限り、間隔を開けた後方位置に被着するようにしてもよい。
（２）リテーナは、雌ハウジングに対してヒンジを介して一体的に形成された構造であってもよい。
（３）実施形態１，２において、押圧部について、二色成形等により押圧方向に沿った方向に弾性変位可能に形成してもよい。押圧部も弾性変位することで電線の振動吸収が可能となり、振動吸収機能を高めることに有効となる。
（４）上記実施形態では、押圧部がリテーナに一体形成されている場合を例示したが、リテーナとは別体に形成した押圧部材に設けるようにしてもよい。
（５）上記実施形態では雌側のコネクタを例示したが、雄側のコネクタにも適用可能である。
【符号の説明】
【００４３】
Ｃ１，Ｃ２：コネクタ
１０：電線
２０：雌端子（端子金具）
３０：筒形カバー
３１：被押圧部
４０，４０Ｘ：雌ハウジング（ハウジング）
４１：キャビティ
５０：リテーナ装着部
５５：押圧部挿入口
６０：リテーナ（押圧部材）
６２：抜止部
６５：押圧部
７０：逃がし凹部
【図１】
2017212121.tif 000003
【図２】
2017212121.tif 000004
【図３】
2017212121.tif 000005